(57)【要約】【課題】  襟元の自由な開閉動作を端正な外見を維持することが可能な一定範囲で許容しながら、襟元が過度に開くのを防止する襟元止め具を提供する。【解決手段】  屈曲自在の中間連結部材２０の両端に開襟シャツ５０の第１ボタンＢＢに着脱自在に係合可能なボタン側係合片１０と、第１ボタンＢＢのボタン穴ＢＨに着脱自在に係合可能な穴側係合片３０とを取り付け、ボタン側係合片１０と穴側係合片３０を利用し、ネクタイに代えて開襟シャツ５０の襟元５３に取り付けて用いる。中間連結部材３０が屈曲して襟元５３自由な開閉動作を許容し、中間連結部材２０延び切ることによって、襟元５３が過度に開くのを防止する。【選択図】  図２
0003114921.tif 000002
【実用新案登録請求の範囲】
【請求項１】
開襟シャツの襟元の解禁度合いを規制する屈曲自在の中間連結部材と、中間連結部材の一端に連結され第１ボタンに着脱自在に係合可能なボタン側係合片と、中間連結部材の他の一端に連結され第１ボタンのボタン穴に着脱自在に係合可能な穴側係合片とを備え、ネクタイに代えて使用することによって中間連結部材の直線状態を限度として開襟シャツの襟元の最大開襟度合いを規制することを特徴とする襟元止め具。
【請求項２】
中間連結部材が装身具用の鎖条であることを特徴とする請求項１に記載の襟元止め具。
【請求項３】
中間連結部材が高可撓性の樹脂製または皮革製のプレートであることを特徴とする請求項１に記載の襟元止め具。
【請求項４】
中間連結部材が組み紐であることを特徴とする請求項１に記載の襟元止め具。
【請求項５】
中間連結部材が伸び範囲を規制した引っ張りばねを含み、開襟シャツの襟元の最大開襟度合いを弾性的に規制することを特徴とする請求項１に記載の襟元止め具。
【請求項６】
穴側係合片が飾りボタンであることを特徴とする請求項１ないし請求項５のいずれか１項に記載の襟元止め具。
【考案の詳細な説明】
【技術分野】
【０００１】
本考案は、ノーネクタイ勤務時における開襟シャツの第１ボタンと、第１ボタンのボタン穴を利用して襟元に取り付けることによって、使用負担なく襟元を端正に整えることができる開襟シャツの襟元止め具に関する。
【背景技術】
【０００２】
地球温暖化の原因ガスとされる二酸化炭素の排出量を削減するためのエネルギー節減運動の一環として、官公庁をはじめ各種職場レベルで夏場におけるノーネクタイ運動が普及している。ノーネクタイ運動自体は合理的精神に基づく動きであるが、ノーネクタイが不似合いな職場、職種があることは否めない。例えば、国会中継放送等において議員の方が真剣に討議をされておられる姿を時折拝見するのであるが、襟元が無作法に開きすぎていると真剣さが今一歩伝わらない思いがするのを禁じ得ない。さらに、野次、罵声が飛び交う状況になると番組を間違えたかとも思われる。
【０００３】
ノーネクタイ運動に伴なうこのような問題点は、先賢諸氏により従来より既に指摘されているところでもある。例えば、次のような提案が見られる。
【特許文献１】実開昭５４−１６１２０１号公報
【特許文献２】国開ＷＯ２００３−００９７１８号公報
【０００４】
特許文献１に開示される「開襟調整具」は、実物においては装飾的であると思われる３枚のバックル板のようなものを備え、そのうちの２枚のバックル板の裏面側には、ワニ口クリップが固定され、それぞれ開襟シャツの左右の襟元を挟んで取り付けることができるようにされている。残る１枚のバックル板の裏面側には、紐通孔が設けられ、一端を左右のバックル板に固定した一対の飾り紐を左右のバックル板の中間位地に配置する中央のバックル板の紐通孔を通過させて自由下垂させる方式の、一種のループタイである。また、同特許文献に開示される他の実施の形態は、中央位地のバックル板を使用することなく、左右のバックル板間に飾り紐を往来させ、全体として蝶ネクタイのようにデザインされたものである。
【０００５】
また、特許文献２に開示される「留具」は、可撓性素材からなるプレートを第１ボタン用のボタン穴を通して２つ折りに折り返して第１ボタンに留める方式のもの、およびプレートの裏面側に設けるフックを第１ボタン用のボタン穴に掛けるとともに他方を第１ボタンの縫い付け糸に掛止する方式のものである。
【考案の開示】
【考案が解決しようとする課題】
【０００６】
首元の中央位地をバックルでまとめる方式のループタイは、理由不明であるが年寄りくさいイメージを伴なってしまう。特許文献１に示される「開襟調整具」は、イメージ上、ループタイのイメージを払拭することができない。大型の２枚または３枚のバックル板の存在は、多くの人に使用を躊躇させる原因となると考えられる。襟元位地においては、小さなアクセントであっても、極めて目に付き易いからである。
【０００７】
また、この方式のものは、襟元が常に一定範囲で開いていることを前提としており、例えば、開襟シャツの着用中に襟元が自然に閉じようとする場合においては、左右のバックル板が上下に重ならなければならないこととなるため、非常に不都合な状態となる。すなわち、この「開襟調整具」は、開襟方向のみならず、襟元が閉じる方向をもバックル板相互の干渉によって規制してしまうという問題を有する。なお、特許文献２に示される「留具」は、シンプルであって使用がはばかられるようなデザイン要素はないが、構造上、「留具」のサイズ設定に従い、襟元を閉じたまま固定してしまうか、あるいは、襟元を開いた状態で固定してしまうかのいずれかである。
【０００８】
本考案は、上記のような従来技術を検討した成果としてなされたものであり、考慮されたポイントは、襟元が過度に開いて節操がなくなることも、襟元を常に一定範囲で開いた状態に固定することも、襟元を開かないように固定することも、ノーネクタイ運動の要請するところではないという点である。そこで、本考案は、身体の挙動に合わせて襟元が自然に開閉する動作を許容しながら、しかも、襟元が一定範囲を超えて開かないように襟元の最大開襟度合いのみを規制することを課題とする。
【課題を解決するための手段】
【０００９】
本考案は、上記課題を解決するために次のような手段を採用する。
【００１０】
本考案の請求項１に記載の襟元止め具は、開襟シャツの襟元の解禁度合いを規制する屈曲自在の中間連結部材と、中間連結部材の一端に連結され第１ボタンに着脱自在に係合可能なボタン側係合片と、中間連結部材の他の一端に連結され第１ボタンのボタン穴に着脱自在に係合可能な穴側係合片とを備え、ネクタイに代えて使用することによって中間連結部材の直線状態を限度として開襟シャツの襟元の最大開襟度合いを規制することを特徴とする。
【００１１】
上記構成におけるボタン側係合片は、開襟状態における開襟シャツの第１ボタンに係合させることによって一方の襟元に取り付けることができるとともに、穴側係合片は、使用されていない第１ボタン用のボタン穴に係合させることによって他方の襟元に取り付けることができる。また、ボタン側係合片と穴側係合片とは、中間連結部材によって連結されており、この結果、開襟シャツの第１ボタン位置の襟元は、本考案にかかる襟元止め具によって連結され、襟元止め具の機能にしたがった内容の拘束を受ける。中間連結部材は、屈曲自在の素材が用いられており、したがって、襟元止め具は、襟元が閉じる方向に動作する場合には、この動作を許容する。一方、襟元が開く方向に動作する場合には、中間連結部材が直線状に延び切った時点で、襟元がそれ以上に開く動作を阻止することができる。すなわち、襟元の最大開襟度合いは、中間連結部材の長さに応じて規制することができる。
【００１２】
本考案の請求項２に記載の襟元止め具は、中間連結部材が装身具用の鎖条であることを特徴とする。
【００１３】
装身具用の鎖条は、多様であるが、機械工業用のものに比べていずれも十分に装飾的に設計されており、構造必然的に屈曲自在であり、直線状を限度としてそれ以上に延びることはないので、本稿案の要求に好適に適合することができ、種類も豊富であり利用価値が高い。
【００１４】
本考案の請求項３および請求項４に記載の襟元止め具は、中間連結部材が高可撓性の樹脂製または皮革製のプレートであってもよく、また、組み紐であってもよいとする趣旨である。樹脂製のプレートまたは皮革製のプレートが屈曲して襟元の閉じる方向の動作を許容し、その長さの限度によって襟元の開く範囲を規制することができることから、襟元止め具の中間連結部材としての機能を発揮することができるからである。
【００１５】
本考案の請求項５に記載の襟元止め具は、中間連結部材が伸び範囲を規制した引っ張りばねを含み、開襟シャツの襟元の最大開襟度合いを弾性的に規制することを特徴とする。
【００１６】
上記の構成は、中間連結部材に一定範囲内での伸縮動作を許容することによって、身体の挙動によって襟元が自由に開閉する襟元の自由性を確保しながら、しかも、引っ張りばねの伸び範囲を規制することによって、襟元が一定限度以上には開かない動作を実現することができる。
【００１７】
本考案の請求項６に記載の襟元止め具は、穴側係合片が飾りボタンであることを特徴とする。
【００１８】
襟元の第１ボタンを外していることに起因する問題には、襟元が介装に開くことの他に、第１ボタン用のボタン穴が使用されていないことによる外観不良があるが、穴側係合片を飾りボタンとすることによって、あたかも第１ボタンが掛けられているかのような端正な視覚効果を発揮することができるのである。
【考案の効果】
【００１９】
本考案に係る襟元止め具は、屈曲自在の中間連結部材の両端に開襟シャツの第１ボタンに着脱自在に係合可能なボタン側係合片と、第１ボタンのボタン穴に着脱自在に係合可能な穴側係合片とを取り付けてなり、ボタン側係合片と穴側係合片を利用して開襟シャツの襟元に取り付けたときに、中間連結部材が屈曲しながら襟元の自由な開閉動作を許容しながら中間連結部材が延び切ることによって襟元の最大開襟度合いを規制することができるので、拘束感なく楽に使用することが可能であって、しかも襟元が無作法に開きすぎるのを防止することができるという効果を奏する。
【考案を実施するための最良の形態】
【００２０】
以下、図面を引用しながら本考案の実施の形態を説明する。
【００２１】
襟元止め具４０は、中間連結部材２０と、その両端に取り付けるボタン側係合片１０と穴側係合片３０とからなる（図１）。中間連結部材２０に求められる条件は、屈曲自在であって、直線状とした場合においては、それ以上に長さが伸びないことである。同図に示す装身具用の鎖条２１は、好適例である。
【００２２】
通常の開襟シャツ５０の襟元５３部分の構造では、左右の襟首５１，５１に、それぞれ襟５２，５２が縫合され、第１ボタンＢＢおよびボタン穴ＢＨは、襟首５１，５１の部分に設けられている（図２）。
【００２３】
ボタン側係合片１０は、開襟シャツ５０襟首５１に取り付けられた第１ボタンＢＢに係合させることを目的とする部材であり、本実施の形態では、既製品であるボタン掛けリング１１を用いている。ボタン掛けリング１１は、楕円部１１Ｂの一端をロック部１１Ａを形成し、他端に通し孔１１Ｃを設けたものである。ボタン掛けリング１１は、楕円部１１Ｂに第１ボタンＢＢを潜らせて引くことにより、ロック部１１Ａが第１ボタンＢＢの縫い付け糸を締め付けるように作用する。通し孔１１Ｃには、鎖条２１の一端が連結環２１Ｒを介して連結される。
【００２４】
穴側係合片３０は、開襟シャツ５０の第１ボタンＢＢ用のボタン穴ＢＨに係合させることを目的とする部材であり、本実施の形態においては、既製品の掛け止め棒３１が用いられている。掛け止め棒３１は、偏平断面の棒体であり、長さ中央位地に通し孔３１Ｃを有する。鎖条２１の他端は、連結環２１Ｒを介して掛け止め棒３１に連結される。掛け止め棒３１は、長手方向からボタン穴ＢＨに通して鎖条２１を引くことによってボタン穴ＢＨに掛止される。
【００２５】
図２は、襟元止め具４０を開襟シャツ５０の襟元５３に取り付けた状態を示し、左右の襟首５１，５１は、鎖条２１の長さの範囲内で自由に開閉動作することができるので、身体の動きが楽である。鎖条２１の長さは、随意に設定することができ、この際の長さによって襟元５３の最大開襟度合いが決定される。
【００２６】
以下、本考案の他の実施の形態を説明する。
【００２７】
中間連結部材２０として使用可能な材料は多種類に及ぶ。組み紐２２は、好適な材料の１つである（図３）。組み紐２２の両端には、それぞれ、連結環２１Ｒ，２１Ｒ付きの末端金具２２Ｂ，２２Ｂが固定され、連結環２１Ｒ，２１Ｒを介してボタン側係合片１０と穴側係合片３０に連結される。
【００２８】
中間連結部材２０には、高可撓性であることを条件とすれば、樹脂製または皮革製のプレート２３を用いることも可能である（図４）。高可撓性は、中間連結部材としての使用上の高可撓性で足り、したがって、この条件は、素材の物性によって充足してもよく、素材を薄く形成することによって充足してもよい。樹脂材料には、着色したポリプロピレンやポリエステル、ナイロン等、また、皮革には、牛、馬、鹿、合成皮革等が適する。プレート２３の両端に連結部２３Ｂ，２３Ｂを一体成形することによって部品点数を抑えることができる。開襟シャツ５０の襟５２，５２の有無や襟５２，５２の型によっては、このプレートタイプの襟元止め具４０が似合う場合もある。
【００２９】
襟元止め具４０は、使用環境によっては、できるだけ目立たないシンプルなものが適する場合もある。このための工夫としては、ボタン側係合片１０にできるだけ小型のフック１２を用いるとともに、穴側係合片３０に開襟シャツ５０のボタンと同種の使用上の外観を有する飾りボタン３２を採用することができる（図５）。飾りボタン３２は、前面に開襟シャツ５０の第１ボタンＢＢと同じデザインの飾りボタン型３２Ｆを備えるとともに、背面側にボタン穴ＢＨに潜らせて留めるための留めボタン型３２Ｂを備える。使用状態におけるフック１２は、第１ボタンＢＢの裏面側に隠れ、飾りボタン型３２Ｆは、ボタン穴ＢＨを隠すことができるので、シンプルで端正な使用状態を実現することができる（図６）。
【００３０】
襟元止め具４０における中間連結部材２０は、伸び範囲を規制した引っ張りばね２６を含む構成とすることができる（図７）。引っ張りばね２６は、ガイド筒２５に収納された状態でボタン側係合片１０と穴側係合片３０を連結する中間連結部材２０である鎖条２１の中間位地に介装されている。引っ張りばね２６は、ガイド筒２５の内部から左右の鎖条２１，２１を引いており、外力が加わることによりガイド筒２５の長さの範囲内で伸長動作することができる。すなわち、このような構成の襟元止め具４０は、開襟シャツ５０の襟元５３を適度な緊張力で引き締めつつ、身体の挙動によって襟元５３に力が加わった時に襟元５３を弛めるように働くことができ、しかも、襟元５３の最大開襟度合いを規制する機能を発揮することもできる。
【図面の簡単な説明】
【００３１】
【図１】本考案の襟元止め具の実施の形態を示す斜視図である。
【図２】本考案の襟元止め具の使用状態を示す斜視図である。
【図３】本考案の襟元止め具の他の実施の形態を示す斜視図である。
【図４】本考案の襟元止め具の他の実施の形態を示す斜視図である。
【図５】本考案の襟元止め具の他の実施の形態を示す斜視図である。
【図６】本考案の襟元止め具の使用状態を示す斜視図である。
【図７】本考案の襟元止め具他の実施の形態を示す部分破断斜視図である。
【符号の説明】
【００３２】
１０      ボタン側係合片
２０      中間連結部材
２１      鎖条
２２      組み紐
２３      プレート
２６      引っ張りばね
３０      穴側係合片
３２      飾りボタン
５０      開襟シャツ
５３      襟元
【図１】
0003114921.tif 000003
【図２】
0003114921.tif 000004
【図３】
0003114921.tif 000005
【図４】
0003114921.tif 000006
【図５】
0003114921.tif 000007
【図６】
0003114921.tif 000008
【図７】
0003114921.tif 000009